(57)【要約】【課題】ドレン体の清掃を自動で行うことができる空調装置を提供する。【解決手段】空調装置は、周囲の空気と冷媒との間において熱交換を行う熱交換器と、前記熱交換器の下方に設けられ、前記熱交換器から垂れるドレン水を受ける受け面を有したドレン体と、前記熱交換器と前記ドレン体との間の鉛直方向の隙間が広がるように前記熱交換器または前記ドレン体が鉛直方向に移動する際に前記熱交換器または前記ドレン体の移動に連動して前記ドレン体の受け面に沿って移動することにより前記ドレン体の受け面を清掃する清掃体と、を備えた。【選択図】図２
2020153629.tif 000002
【特許請求の範囲】
【請求項１】
周囲の空気と冷媒との間において熱交換を行う熱交換器と、
前記熱交換器の下方に設けられ、前記熱交換器から垂れるドレン水を受ける受け面を有したドレン体と、
前記熱交換器と前記ドレン体との間の鉛直方向の隙間が広がるように前記熱交換器または前記ドレン体が鉛直方向に移動する際に前記熱交換器または前記ドレン体の移動に連動して前記ドレン体の受け面に沿って移動することにより前記ドレン体の受け面を清掃する清掃体と、
を備えた空調装置。
【請求項２】
前記ドレン体を下方から支持したカバー体、
を備え、
前記清掃体は、前記熱交換器と前記ドレン体との間の鉛直方向の隙間が広がるように前記カバー体と前記ドレン体とが自重により下降する際に前記カバー体と前記ドレン体との下降に連動して前記ドレン体の受け面に沿って移動する請求項１に記載の空調装置。
【請求項３】
前記ドレン体は、矩形の枠状に形成された受け面を有し、
前記清掃体は、前記熱交換器と前記ドレン体との間の鉛直方向の隙間が広がるように前記ドレン体が下降する際に前記ドレン体の下降に連動して前記ドレン体の受け面に沿って移動することにより移動を開始した位置の周辺まで戻る請求項１または請求項２に記載の空調装置。
【請求項４】
前記清掃体は、前記熱交換器と前記ドレン体との間の鉛直方向の隙間が広がるように前記ドレン体が下降するときの距離に対する移動の距離の比が調整され得るように設けられた請求項１から請求項３のいずれか一項に記載の空調装置。
【発明の詳細な説明】
【技術分野】
【０００１】
この発明は、ドレン体を清掃する機能を備えた空調装置に関する。
【背景技術】
【０００２】
特許文献１は、空調装置を開示する。当該空調装置によれば、ドレン体の清掃の作業性を向上し得る。
【先行技術文献】
【特許文献】
【０００３】
【特許文献１】特開２０１０−３８４１５号公報
【発明の概要】
【発明が解決しようとする課題】
【０００４】
しかしながら、特許文献１に記載の空調装置においては、作業者によるドレン体の清掃が必要となる。このため、ドレン体の清掃時間が長くなる。
【０００５】
この発明は、上述の課題を解決するためになされた。この発明の目的は、ドレン体の清掃を自動で行うことができる空調装置を提供することである。
【課題を解決するための手段】
【０００６】
この発明に係る空調装置は、周囲の空気と冷媒との間において熱交換を行う熱交換器と、前記熱交換器の下方に設けられ、前記熱交換器から垂れるドレン水を受ける受け面を有したドレン体と、前記熱交換器と前記ドレン体との間の鉛直方向の隙間が広がるように前記熱交換器または前記ドレン体が鉛直方向に移動する際に前記熱交換器または前記ドレン体の移動に連動して前記ドレン体の受け面に沿って移動することにより前記ドレン体の受け面を清掃する清掃体と、を備えた。
【発明の効果】
【０００７】
この発明によれば、清掃体は、熱交換器と前記ドレン体との間の鉛直方向の隙間が広がるように熱交換器またはドレン体が鉛直方向に移動する際に熱交換器またはドレン体の移動に連動してドレン体の受け面に沿って移動することによりドレン体の受け面を清掃する。このため、ドレン体の清掃を自動で行うことができる。
【図面の簡単な説明】
【０００８】
【図１】実施の形態１における空調装置の室内機の縦断面図である。
【図２】実施の形態１における空調装置の要部の平面図である。
【図３】実施の形態１における空調装置の清掃ユニットの側面図である。
【図４】実施の形態２における空調装置の清掃ユニットの側面図である。
【図５】実施の形態３における空調装置の清掃体の側面図である。
【図６】実施の形態４における空調装置の要部の平面図である。
【図７】実施の形態４における空調装置の清掃体の側面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における空調装置の室内機の縦断面図である。
【００１１】
図１に示されるように、室内機は、室内機本体１と熱交換器２と送風ファン３とファンモータ４とカバー体５とドレン体６とフィルタ７と風向調整板８を備える。
【００１２】
室内機本体１は、箱状に形成される。室内機本体１は、居室の天井板の開口部にはめ込まれる。熱交換器２は、室内機本体１の内部に設けられる。熱交換器２は、周囲の空気と冷媒との熱交換を行い得るように設けられる。送風ファン３は、室内機本体１の内部において熱交換器２に囲まれる。送風ファン３は、回転した際に室内から吸い上げた空気を熱交換器２に送り出し得るように設けられる。ファンモータ４は、室内機本体１の天井部の下面に取り付けられる。ファンモータ４は、送風ファン３を回転駆動させ得るように設けられる。カバー体５は、室内機本体１の下方を覆う。カバー体５は、熱交換器２と送風ファン３とを室内の側から遮蔽し得るように設けられる。ドレン体６は、カバー体５の上面に下方から支持される。ドレン体６は、熱交換器２の下方に設けられる。ドレン体６の受け面は、熱交換器２から垂れるドレン水を受け得るように設けられる。フィルタ７は、カバー体５の吸い込みグリルに設けられる。フィルタ７は、塵埃を捕捉し得るように設けられる。風向調整板８は、カバー体５の吹き出し口に設けられる。風向調整板８は、熱交換器２の周囲を通過した空気の流れの向きを調整し得るように設けられる。
【００１３】
室内機は、自動昇降装置を備える。自動昇降装置は、複数の吊り下げワイヤ９と複数のワイヤドラム１０と複数の受動歯車１１と複数の駆動歯車１２と複数のシャフト１３と昇降モータユニット１４とを備える。
【００１４】
複数の吊り下げワイヤ９の各々は、紐状に形成される。複数の吊り下げワイヤ９の各々の一側は、カバー体５の上面部に連結される。複数のワイヤドラム１０の各々は、室内機本体１の外側面部において回転自在に設けられる。複数のワイヤドラム１０の各々は、複数の吊り下げワイヤ９の各々の他側に連結される。複数の受動歯車１１の各々は、複数のワイヤドラム１０の各々に連結される。複数の駆動歯車１２の各々は、複数の受動歯車１１の各々とかみ合う。複数のシャフト１３の各々は、先端部において複数の駆動歯車１２の各々を支持する。昇降モータユニット１４は、複数のシャフト１３の各々の後端部を回転自在に支持する。
【００１５】
昇降モータユニット１４がシャフト１３を回転させると、駆動歯車１２は、シャフト１３の回転に追従して回転する。受動歯車１１は、駆動歯車１２の回転に追従して回転する。ワイヤドラム１０は、受動歯車１１の回転に追従して回転する。吊り下げワイヤ９は、ワイヤドラム１０の回転に追従してワイヤドラム１０から送り出されたりワイヤドラム１０に巻き取られたりする。カバー体５は、吊り下げワイヤ９に追従して昇降する。ドレン体６は、カバー体５の昇降に追従して昇降する。
【００１６】
例えば、昇降モータユニット１４は、作業者が昇降ボタンを押すことにより動作する。この際のカバー体５の下降距離は、作業性の向上、室内機の設置条件等を考慮して適宜設定され得る。
【００１７】
次に、図２を用いて、ドレン体６の清掃方法の概要を説明する。
図２は実施の形態１における空調装置の要部の平面図である。
【００１８】
図２に示されるように、ドレン体６は、水平投影面上において熱交換器２と重なるように矩形の枠状に形成される。
【００１９】
空調装置は、清掃ユニットを備える。清掃ユニットは、複数の連動体１５と複数の清掃体１６とを備える。
【００２０】
複数の連動体１５の各々は、ドレン体６の直線部の一側に設けられる。複数の連動体１５の各々は、ドレン体６の下降に追従して動作し得るように設けられる。複数の清掃体１６の各々は、複数の連動体１５の各々に連結される。複数の清掃体１６の各々は、複数の連動体１５の各々の動作に連動してドレン体６の受け面に沿って移動し得るように設けられる。その結果、ドレン体６の受け面は、清掃される。
【００２１】
次に、図３を用いて、清掃ユニットの概要詳細を説明する。
図３は実施の形態１における空調装置の清掃ユニットの側面図である。
【００２２】
図３において、連動体１５は、モータである。清掃体１６は、スクレーパである。連動体１５は、ドレン体６の下降に連動して清掃体１６を押し出す。この際、清掃体１６は、ドレン体６の受け面に接触して異物を押し出しながら移動する。
【００２３】
以上で説明した実施の形態１によれば、清掃体１６は、熱交換器２とドレン体６との間の鉛直方向の隙間が広がるようにドレン体６が下降する際にドレン体６の下降に連動してドレン体６の受け面に沿って移動することによりドレン体６の受け面を清掃する。このため、ドレン体６の清掃を自動かつ短時間で行うことができる。その結果、ドレン水に含まれた異物がドレン体６に滞留することを容易に抑制できる。この際の操作は、昇降ボタンを押すだけである。このため、専門の作業者以外でもドレン体６の清掃を容易に行うことができる。また、異物が配管に流れ出ない場合でも、ドレン体６は、当該異物が複数箇所に集められた状態で居室の天井板よりも下方に配置される。このため、当該異物を容易に除去することができる。
【００２４】
なお、熱交換器２とドレン体６との間の鉛直方向の隙間が広がるように熱交換器２を上昇させてもよい。この場合、熱交換器２の上昇に連動してドレン体６の受け面に沿って清掃体１６を移動させることによりドレン体６の受け面を清掃すればよい。この場合も、ドレン水に含まれた異物がドレン体６に滞留することを抑制できる。
【００２５】
また、熱交換器２とドレン体６との間の鉛直方向の隙間が広がるようにカバー体５とドレン体６とが自重により下降する際にカバー体５とドレン体６との下降に連動してドレン体６の受け面に沿って清掃体１６を移動させてもよい。この場合も、ドレン水に含まれた異物がドレン体６に滞留することを抑制できる。
【００２６】
また、熱交換器２とドレン体６との間の鉛直方向の隙間が広がるようにドレン体６が下降するときの距離に対する清掃体１６の移動の距離の比を調整し得るようにしてもよい。この場合、カバー体５の下降距離が作業性の向上、室内機の設置条件等を考慮して設定された際、カバー体５の下降距離に応じて清掃体１６の移動の距離を適切に調整することができる。
【００２７】
また、図３における連動体１５としてのモータで吊り下げ９の送り出しおよび巻き取りを行ってもよい。この場合、複数のワイヤドラム１０と複数の受動歯車１１と複数の駆動歯車１２と複数のシャフト１３と昇降モータユニットとを不要とすることができる。
【００２８】
実施の形態２．
図４は実施の形態２における空調装置の清掃ユニットの側面図である。なお、実施の形態１の部分と同一又は相当部分には同一符号が付される。当該部分の説明は省略される。
【００２９】
実施の形態２において、連動体１５は、一対の上側回転体１５ａと一対の下側回転体１５ｂと第１連動ロープ１５ｃと第２連動ロープ１５ｄと第３連動ロープ１５ｅとを備える。
【００３０】
一対の上側回転体１５ａの各々は、図４においては示されないカバー体５に設けられる一対の下側回転体１５ｂの各々は、一対の上側回転体１５ａの各々の下方に設けられる。第１連動ロープ１５ｃは、一対の上側回転体１５ａの一方と一対の下側回転体１５ｂの一方とに巻き回される。第２連動ロープ１５ｄは、一対の上側回転体１５ａの他方と一対の下側回転体１５ｂの他方とに巻き回される。第３連動ロープ１５ｅは、一対の下側回転体１５ｂに巻き回される。
【００３１】
実施の形態２において、清掃体１６は、第３連動ロープ１５ｅの下側に支持される。
【００３２】
一対の上側回転体１５ａの各々は、カバー体５の昇降に応じて昇降しながら回転する。第１連動ロープ１５ｃは、一対の上側回転体１５ａの一方の回転に追従して回転する。第２連動ロープ１５ｄは、一対の上側回転体１５ａの方の回転に追従して回転する。一対の下側回転体１５ｂは、第１連動ロープ１５ｃと第２連動ロープ１５ｄとの回転に追従して回転する。第３連動ロープ１５ｅは、一対の下側回転体１５ｂの回転に追従して回転する。清掃体１６は、第３連動ロープ１５ｅの回転に追従して図４では図示されないドレン体６の受け面に沿って水平方向に移動する。
【００３３】
以上で説明した実施の形態２によれば、清掃体１６は、第３連動ロープ１５ｅの移動に連動してドレン体６の受け面に沿って移動する。このため、ドレン水に含まれた異物がドレン体６に滞留することを抑制できる。
【００３４】
なお、カバー体５の各辺に対し、一対の上側回転体１５ａと一対の下側回転体１５ｂと第１連動ロープ１５ｃと第２連動ロープ１５ｄと第３連動ロープ１５ｅとの全てを設けてもよいし、カバー体５の隣接した２つの辺に対し、連結回転体を設けることにより動力を減らしてもよい。
【００３５】
実施の形態３．
図５は実施の形態３における空調装置の清掃体の側面図である。なお、実施の形態１の部分と同一又は相当部分には同一符号が付される。当該部分の説明は省略される。
【００３６】
実施の形態３において、清掃体１６は、回転体である。例えば、清掃体１６の外周面には、ブラシまたは複数の突起が設けられる。
【００３７】
以上で説明した実施の形態３によれば、清掃体１６は、熱交換器２とドレン体６との間の鉛直方向の隙間が広がるようにドレン体６が下降する際にドレン体６の下降に連動してドレン体６の受け面に沿って回転しながら移動することによりブラシまたは複数の突起でドレン体６の受け面を清掃する。このため、ドレン水に含まれた異物がドレン体６に滞留することをより確実に抑制できる。
【００３８】
実施の形態４．
図６は実施の形態４における空調装置の要部の平面図である。なお、実施の形態１の部分と同一又は相当部分には同一符号が付される。当該部分の説明は省略される。
【００３９】
実施の形態４において、清掃体１６は、熱交換器２とドレン体６との間の鉛直方向の隙間が広がるようにドレン体６が下降する際にドレン体６の下降に連動して前記ドレン体の受け面に沿って移動することにより移動を開始した位置の周辺まで戻る。
【００４０】
次に、図７を用いて、清掃体１６の移動方法を説明する。
図７は実施の形態４における空調装置の清掃体の側面図である。
【００４１】
図７に示されるように、清掃体１６の両端は、ドレン体６の側面に形成された溝に収まる。清掃体１６は、両端がドレン体６の溝に案内されながら水平方向に移動する。
【００４２】
以上で説明した実施の形態４によれば、清掃体１６は、熱交換器２とドレン体６との間の鉛直方向の隙間が広がるようにドレン体６が下降する際にドレン体６の下降に連動してドレン体６の受け面に沿って移動することによりドレン体６の受け面を引き返すことなく移動を開始した位置の周辺まで戻る。このため、清掃ユニットの部品点数を減らすことができる。また、異物が配管に流れ出ない場合でも、当該異物を一箇所に集めることができる。その結果、当該異物を容易に除去することができる。
【符号の説明】
【００４３】
１  室内機本体、  ２  熱交換器、  ３  送風ファン、  ４  ファンモータ、  ５  カバー体、  ６  ドレン体、  ７  フィルタ、  ８  風向調整板、  ９  吊り下げワイヤ、  １０  ワイヤドラム、  １１  受動歯車、  １２  駆動歯車、  １３  シャフト、  １４  昇降モータユニット、  １５  連動体、  １５ａ  上側回転体、  １５ｂ  下側回転体、  １５ｃ  第１連動ロープ、  １５ｄ  第２連動ロープ、  １５ｅ  第３連動ロープ、  １６  清掃体
【図１】
2020153629.tif 000003
【図２】
2020153629.tif 000004
【図３】
2020153629.tif 000005
【図４】
2020153629.tif 000006
【図５】
2020153629.tif 000007
【図６】
2020153629.tif 000008
【図７】
2020153629.tif 000009